(57)【要約】      （修正有）【課題】形状が可愛いらしく手軽な方法で簡単に占える恋占いを提供する。【解決手段】２つ折りにした２本の紐２と略台形状の台紙を構成し、この台紙を表面に形成した折線によって折り畳み、平面視略三角形状の本体１を構成し、前記紐２の下部を本体１内部に収納し上部を本体１外部に露出せしめ、前記外部に露出した紐２の先端を２本ずつ結んだ後、本体１内より取り出して、紐２が作る輪の形によって占う恋占い。【選択図】図７
0003139530.tif 000002
【実用新案登録請求の範囲】
【請求項１】
２つ折りにした複数本の紐と、この紐を収納する本体を構成し、
前記複数の紐の下部を本体内部に収納し、上部を本体外部に露出せしめ、
前記外部に露出した紐の先端を２本ずつ結んだ後、紐を本体内部より取り出して、紐が作る輪の形によって占う恋占い。
【請求項２】
前記紐の数を２本としたことを特徴とする請求項１記載の恋占い。
【請求項３】
前記紐の数を２本とし、本体を略台形状の台紙によって構成し、この台紙を表面に形成した折線によって折り畳み平面視略三角形状の箱体に構成したことを特徴とする請求項１記載の恋占い。
【考案の詳細な説明】
【技術分野】
【０００１】
本考案は、形状が可愛いらしく手軽な方法で簡単に占える恋占いに関するものである。
【背景技術】
【０００２】
従来の恋占いはカードで行うものが多く、例えば特許文献１記載の発明が提案されていた。
この発明は、数種類のオス（凸）のＩＣカードの中の１枚を選択し、数種類のメス（凹）のＩＣカードの中から選択された１枚とを、その長辺と長辺ないしその短辺と短辺を接続させたりすることにより、その２枚のＩＣカードの表面上ないしオス（凸）のＩＣカードの表面上に、その２枚のＩＣカードの組合せに特有の文章を表示させあるいは特有の音楽を演奏させ、又はその両者を表示かつ演奏させて恋占いをするもの玩具である。
【特許文献１】特開平７−２５０９３６号
【０００３】
この恋占い玩具によれば、数種類のオスのＩＣカードとメスのＩＣカードを準備する必要があり、かつそれらを接続させるため手間がかかり、占い方法が複雑である等の問題点があった。
【考案の開示】
【考案が解決しようとする課題】
【０００４】
本考案は、昔ながらの恋占いの伝統を踏まえ、簡易な構成で占い方も簡単で分かりやすく興趣に尽きない恋占いを提供するものである。
【課題を解決するための手段】
【０００５】
本考案の要旨とするところは、２つ折りにした複数本の紐と、この紐を収納する本体を構成し、前記複数の紐の下部を本体内部に収納し、上部を本体外部に露出せしめ、前記外部に露出した紐の先端を２本ずつ結んだ後、紐を本体内部より取り出して、紐が作る輪の形によって占う恋占いである。
【０００６】
また本考案の要旨とするところは、前記紐の数を２本としたことを特徴とする恋占いである。
【０００７】
また本考案の要旨とするところは、前記紐の数を２本とし、本体を略台形状の台紙によって構成し、この台紙を表面に形成した折線によって折り畳み平面視略三角形状の箱体に構成したことを特徴とする恋占いである。
【考案の効果】
【０００８】
本考案は上記の如き構成であるため、構成が簡単であり占い方も容易であると共に、本体の上部に露出した紐を２本ずつ任意に結び合わせることで形の予想できない輪ができるため意外性に富み、この輪の形によって恋を占うことが興趣に尽きないのである。
【０００９】
前記紐の数を２本とした場合は輪の形が三通りとなる。
また、紐を２本とし本体を略台形状の台紙を折り畳んで略三角形状の箱体に構成した場合には、小型で手触りもやさしく、帯を締めたような形状が可愛らしく持っていることが楽しい恋占いとなる。
【考案を実施するための最良の形態】
【００１０】
本考案を実施するための最良の形態は、台形状の台紙をその表面に形成した折線によって折り畳んで平面視三角形状の箱体からなる本体を構成する。
一方、２本の紐を２つ折りにして、下部を前記本体内部に収納固定し、上部を本体外部に露出せしめ、この露出した紐の先端を任意に２本ずつ結んだ後、本体内部より取り出して、紐が形作る輪の形によって占うものである。
【００１１】
以下、本考案の第１実施形態を図に基づいて説明する。
図１は本体を構成する台紙の展開正面図、図２は台紙の展開背面図、図３は図２の輪の形と言葉を除いた拡大展開背面図、図４乃至図６は台紙の折り畳み工程を示す説明図、図７は恋占いの全体斜視図、図８は紐によって構成する輪の形の説明図及び図９は占いシートの正面図である。
【００１２】
本実施形態の恋占い１００は、台紙１０と紐２によって構成する。この台紙１０は、図２に示すように上辺１１と底辺１４が平行であり、かつ底辺１４は上辺１１の２倍の長さである。さらに左側辺１２と右側辺１３の長さが等しく全体として等脚台形を形成している。
【００１３】
図１に示すように、前記紐２の下部はテープ２ａを用いて台紙１０の表面に貼付固定して本体１内部に収納しているが、これに限定されず他の固定手段を用いてもよい。また、固定手段を用いずに紐２の下部を本体１内部に収納するだけでもよい。図中、２ｂは紐２につけた飾りである。
【００１４】
図３において、Ａは上辺１１と左側辺１２の交点、Ｂは上辺１１の中点、Ｃは上辺１１と右側辺１３の交点である。Ｄは左側辺１２の中点であり、Ｅは右側辺１３の中点である。
また、Ｆは底辺１４と左側辺１２の交点、Ｋは底辺１４と右側辺１３の交点である。Ｇ、Ｈ、Ｊは、それぞれ底辺１４の４等分点であり、Ｈは底辺１４の中点である。
【００１５】
次に台紙１０を折り畳むために表面に形成した折線を説明する。
前記上辺１１の交点Ａ、Ｃと底辺１４の中点Ｈとをそれぞれ連結して折線２１、２４を構成し、上辺１１の中点Ｂと底辺１４の点Ｇ、Ｊをそれそれぞれ連結して折線２２、２３を構成する。さらに左側辺１２の中点Ｄと右側辺１３の中点Ｅを連結して水平な折線２５を構成する。
左側辺１２の中点Ｄと底辺の点Ｇを連結して折線２６を構成し、右側辺１３の中点Ｅと底辺の点Ｊを連結して折線２７を構成する。
【００１６】
前記各辺１１〜１４と各折線２１〜２７によって台紙１０の表面に１２個の同じ大きさの正三角形の三角体Ｔ１〜Ｔ１２が構成される。
すなわち台紙１０上部には左側辺１２と折線２１と折線２５によって三角体Ｔ１を構成し、この三角体Ｔ１の下方に折線２５を共通の一辺とする三角体Ｔ２が連設しており、三角体Ｔ１の右側には折線２１を共通の一辺とする三角体Ｔ５が連設されている。
以下同様に、台紙１０上部には三角体Ｔ５の右側に三角体Ｔ６、Ｔ７、Ｔ９が連設され、台紙１０下部には左端の三角体Ｔ３に連設して三角体Ｔ２、Ｔ４、Ｔ８、Ｔ１０、Ｔ１１、Ｔ１２が構成されている。
【００１７】
また、三角体Ｔ１の折線３１は、折線２５に対し距離ｄの間隙を有して設けた平行な折線である。この折線３１は、三角体Ｔ３では折線２６に対して距離ｄの間隙を有して平行に設け、Ｔ４では折線２２に対して距離ｄの間隙を有して平行に設けてある。
以下同様に、三角体Ｔ５、Ｔ７、Ｔ８、Ｔ９、Ｔ１０、Ｔ１２に折線３１を一本ずつ設けている。
【００１８】
次に台紙１０を前記各折線によって折り畳んで本体１を組み立てる工程を説明するが、この組み立て工程は一例であり他の工程で組み立てることもできる。なお各折線はすべて図３において手前側に折り畳む、いわゆる谷折りである。
【００１９】
まず、図２、図３の展開状態から、台紙１０の左側の４個の三角体Ｔ１、Ｔ２、Ｔ３、Ｔ４を内側に折り畳んで三角体Ｔ５、Ｔ６、Ｔ７、Ｔ８の上に重ねて図４の状態とする。
【００２０】
その後、折線２４によって折り畳んで三角体Ｔ９、Ｔ１０、Ｔ１１、Ｔ１２を前記三角体Ｔ３、Ｔ４、Ｔ２、Ｔ１の上に重ねて図５の状態とする。
【００２１】
次いで図６に示すように左上部の三角体Ｔ１２、Ｔ１、Ｔ５を折線２７によって三角体Ｔ１１の上に折り畳む。このとき各三角体Ｔ１２、Ｔ１、Ｔ５は、折線２７によって三角体Ｔ１１に対して直角に折った後に、折線３１によって９０度折り畳むことによって、三角体Ｔ１１に対して距離ｄだけ間隙を有して水平な状態となる。
【００２２】
その後、下部の三角体Ｔ１０、Ｔ４、Ｔ８を前記と同様に内側に折り畳み、三角体Ｔ１０とＴ４の間隙にＴ５、Ｔ１を挿入する。その後、右上方の三角体Ｔ９、Ｔ３、Ｔ７を前記と同様に内側に折り畳み、三角体Ｔ１０とＴ１２の間隙に挿入する。
その結果、図７に示すような平面視三角形状の本体１が組み立てられる。この本体１は間隙ｄ分の高さを有する箱型であり内部に紐２の下部を収納している。
【００２３】
このように構成した本実施形態の恋占いの使用方法を説明する。
まず、図７の状態から上部に露出している４本の紐２の各々２本の上端を互に結び合わせる。その後、紐２を引張って本体１より取り出す。そうすると紐２は互に結ばれているため輪になっているが、この輪の形は図８に示すように３通りとなる。
【００２４】
この輪の形で占うのであり、図２に示すように、台紙１０の背面に書かれた各輪の形３、４、５とそれに対応する言葉３ａ、４ａ、５ａを見て占いの結果を確かめる。
【００２５】
輪の形を拡大した図８のうち（Ａ）は２本の紐が一つの大きな輪に結ばれたもので、恋が叶うことを表わす輪の形３であり、（Ｂ）は二つの輪が交叉して結ばれたもので半ば叶うことを表わす輪の形４であり、（Ｃ）は二つの輪が分離して結ばれたもので、容易く叶わずを表わす輪の形５である。
【００２６】
このように本実施形態は、いわゆる帯占いの伝統を踏まえた懐かしい恋占いであり、占い方も簡単で分かりやすいため子女にとって面白く興趣に尽きないものである。また帯を締めたような形状であり、小さく可愛らしいため占いの後も装飾品として利用できるのである。
【００２７】
本実施形態の他の例を図９に示す。この例では台紙１０の背面に書かれた輪の形３、４、５とそれに対応する言葉３ａ、４ａ、５ａを台紙１０の背面に記載せずに、別紙９に記載して本体１内に収納したものである。この例によれば、別紙９を台紙１０と別体に用意するため、台紙１０の色彩や模様に合わせて、随時交換可能であり恋占い１００にバラエテーを持たせることができる。
【００２８】
前記実施形態では紐２を２本としたが、これに限定されず例えば３本、４本の紐を用いても前記と同様の作用、効果を有する恋占いをすることができる。
また、本体１の形状も本実施形態に限定されず、本考案同様の作用効果を奏する任意形状の箱体あるいは袋体の容器、又は任意形状の台紙を折り畳んで、例えば平面視四角形等の多角形や円形等の任意形状の箱体からなる容器とすることもできる。
【図面の簡単な説明】
【００２９】
【図１】本体を構成する台紙の展開正面図
【図２】台紙の展開背面図
【図３】図２の輪の形と言葉を除いた拡大展開背面図
【図４】台紙の折り畳み工程を示す説明図
【図５】台紙の折り畳み工程を示す説明図
【図６】台紙の折り畳み工程を示す説明図
【図７】恋占いの全体斜視図
【図８】輪の形の説明図
【図９】占いシートの正面図
【符号の説明】
【００３０】
１  本体
２  紐
３  輪の形
４  輪の形
５  輪の形
１０  台紙
１１  上辺
１２  左側辺
１３  右側辺
１４  底辺
２１  折線
２２  折線
２３  折線
２４  折線
２５  折線
３１  折線
Ｔ１  三角体
Ｔ２  三角体
Ｔ３  三角体
Ｔ４  三角体
１００  恋占い
【図１】
0003139530.tif 000003
【図２】
0003139530.tif 000004
【図３】
0003139530.tif 000005
【図４】
0003139530.tif 000006
【図５】
0003139530.tif 000007
【図６】
0003139530.tif 000008
【図７】
0003139530.tif 000009
【図８】
0003139530.tif 000010
【図９】
0003139530.tif 000011